(57)【特許請求の範囲】
【請求項１】
制御情報に基づき所定の機能を実現する機能実現手段と、
前記機能実現手段により実現される前記所定の機能の評価を示す自機の評価情報を記憶した評価情報記憶手段と、
前記所定の機能の他機の評価情報を取得する評価情報取得手段と、
前記他機の評価情報と前記自機の評価情報に基づいて、前記制御情報を当該他機に送信する制御情報送信手段と、
を備えることを特徴とする電子機器。
【請求項２】
制御情報を記憶する制御情報記憶手段と、
前記制御情報記憶手段に記憶された制御情報に基づき、前記機能実現手段の前記所定の機能を実現させる制御手段とを備え、
前記制御情報送信手段が、前記制御情報を当該他機に送信した場合、前記制御情報記憶手段に記憶された制御情報を消去する記憶制御手段を備えることを特徴とする請求項１記載の電子機器。
【請求項３】
制御情報に基づき所定の機能を実現する機能実現手段と、
前記機能実現手段により実現される前記所定の機能の評価を示す自機の評価情報を外部に送信する評価情報送信手段と、
他機から送信された他機の制御情報を受信する制御情報受信手段と、
前記制御情報受信手段が前記制御情報を受信した場合には当該受信した制御情報に基づいて前記所定の機能を実現させる制御手段と、
を備えることを特徴とする電子機器。
【請求項４】
前記制御情報受信手段が受信した制御情報に基づき、前記制御手段が前記機能実現手段の機能を実現させるに際して、制御情報が設定された他の電子機器が通信可能範囲に存在するか否かを判断する判断手段を備え、
前記判断手段により前記他の電子機器が通信可能範囲に存在しないと判断された場合、前記制御手段は、前記所定の機能を実現を中止することを特徴とする請求項３記載の電子機器。
【請求項５】
前記制御情報受信手段により受信された制御情報を記憶する制御情報記憶手段を備え、
前記制御手段は、前記制御情報記憶手段に記憶された制御情報に基づき、前記機能実現手段の前記所定の機能を実現させ、
前記制御手段が、前記機能実現手段の前記所定の機能を実現させた後において、前記制
御情報記憶手段に記憶されている前記制御情報を消去する記憶制御手段を備えることを特徴とする請求項３記載の電子機器。
【請求項６】
前記所定の機能は、前記制御情報が示す時刻に放音するアラーム機能であることを特徴とする請求項１から５にいずれか記載の電子機器。
【請求項７】
電池を電源として動作することを特徴とする請求項１から６にいずれか記載の電子機器。
【請求項８】
制御情報に基づき所定の機能を実現する機能実現手段と、
前記機能実現手段により実現される前記所定の機能の評価を示す自機の評価情報を記憶した評価情報記憶手段と、
前記所定の機能の他機の評価情報を取得する評価情報取得手段と、
前記他機の評価情報と前記自機の評価情報に基づいて、前記機能実現手段を制御する機能実現制御手段と、
を備えることを特徴とする電子機器。
【請求項９】
制御情報に基づき所定の機能を実現する機能実現ステップと、
前記機能実現ステップにより実現される前記所定の機能の評価を示す自機の評価情報を記憶した評価情報記憶ステップと、
前記所定の機能の他機の評価情報を取得する評価情報取得ステップと、
前記他機の評価情報と前記自機の評価情報に基づいて、前記制御情報を当該他機に送信する制御情報送信ステップと、
を備えることを特徴とする制御方法。
【請求項１０】
制御情報に基づき所定の機能を実現する機能実現ステップと、
前記機能実現ステップにより実現される前記所定の機能の評価を示す自機の評価情報を外部に送信する評価情報送信ステップと、
他機から送信された他機の制御情報を受信する制御情報受信ステップと、
前記制御情報受信ステップが前記制御情報を受信した場合には当該受信した制御情報に基づいて前記所定の機能を実現させる制御ステップと、
を備えることを特徴とする制御方法。
【請求項１１】
制御情報に基づき所定の機能を実現する機能実現ステップと、
前記機能実現ステップにより実現される前記所定の機能の評価を示す自機の評価情報を記憶した評価情報記憶ステップと、
前記所定の機能の他機の評価情報を取得する評価情報取得ステップと、
前記他機の評価情報と前記自機の評価情報に基づいて、前記機能実現ステップを制御する機能実現制御ステップと、
を備えることを特徴とする制御方法。
【請求項１２】
コンピュータを、
制御情報に基づき所定の機能を実現する機能実現手段、
前記機能実現手段により実現される前記所定の機能の評価を示す自機の評価情報を記憶
した評価情報記憶手段、
前記所定の機能の他機の評価情報を取得する評価情報取得手段、
前記他機の評価情報と前記自機の評価情報に基づいて、前記制御情報を当該他機に送信する制御情報送信手段、
として機能させることを特徴とするプログラム。
【請求項１３】
コンピュータを、
制御情報に基づき所定の機能を実現する機能実現手段、
前記機能実現手段により実現される前記所定の機能の評価を示す自機の評価情報を外部に送信する評価情報送信手段、
他機から送信された他機の制御情報を受信する制御情報受信手段、
前記制御情報受信手段が前記制御情報を受信した場合には当該受信した制御情報に基づいて前記所定の機能を実現させる制御手段、
として機能させることを特徴とするプログラム。
【請求項１４】
コンピュータを、
制御情報に基づき所定の機能を実現する機能実現手段、
前記機能実現手段により実現される前記所定の機能の評価を示す自機の評価情報を記憶した評価情報記憶手段、
前記所定の機能の他機の評価情報を取得する評価情報取得手段、
前記他機の評価情報と前記自機の評価情報に基づいて、前記機能実現手段を制御する機能実現制御手段、
として機能させることを特徴とするプログラム。
【発明の詳細な説明】
【技術分野】
【０００１】
本発明は、当該電子機器にて設定した機能の実現を他の電子機器で実行させる電子機器、電子機器にて設定した機能の実現を他の電子機器で実行させる制御方法及びプログラムに関するものである。
【背景技術】
【０００２】
今日においては、各種電子機器の多機能化が進んでいる。例えば、アラーム機能は、置時計（例えば、特許文献１参照）は無論のこと、携帯電話（例えば、特許文献２参照）や腕時計（例えば、特許文献３参照）、さらには音楽プレーヤーやテレビ等にも装備されている。
【先行技術文献】
【特許文献】
【０００３】
【特許文献１】特開２００９−８６２１号公報
【特許文献２】特開２００８−２５６７２４号公報
【特許文献３】特開平８−１７９０６２号公報
【発明の概要】
【発明が解決しようとする課題】
【０００４】
しかしながら、各電子機器に装備されている機能は同一であっても、当該機器の特性や制約等により、当該機能の優劣や格差がある。例えば、アラーム機能について考察すると、置時計にあっては、大型であることから、スピーカも大きく大きな報知音を発生できる利点がある。その反面、簡単に使えることを優先してボタン数や表示を制限しており、複雑な設定ができない。
【０００５】
また、携帯電話にあっては、テンキー等の多くのキーを備え、アラーム音やアラームの鳴動態様を複数設定することができる等、ユーザの好みに合わせて細かく機能設定することができる利点がある。その反面、放音量は置時計よりも劣り、起床用のアラームとして使用するには不向きである。
【０００６】
また、腕時計にあっては、ユーザの腕に装着されていることから、ユーザが忘れることなく、かつ迅速にアラーム時刻を設定することができる利点がある。その反面、放音量は携帯電話よりも劣り、起床用のアラームとして使用するには更に不向きである。
【０００７】
つまり、このように各種機器に同一の機能が装備されていても当該機能には優劣や格差がある。一方、ユーザにあっては、このような機能の優劣や格差を考慮することなく、習慣的に特定の電子機器のみを使用して当該機能を利用している。
【０００８】
このため、習慣的に使用している電子機器の機能よりも優れる電子機器を所有しているにも拘わらず、当該電子機器の優れた機能が利用されずに放置され、多機能化された電子機器が有効に利用されていないのが実情であった。
【０００９】
本発明は、かかる従来の課題に鑑みてなされたものであり、同一の機能を有する複数種の電子機器において、より高い機能を有する電子機器の当該機能を利用できるようにした電子機器、電子機器にて設定した機能の実現を他の電子機器で実行させる制御方法及びプログラムを提供することを目的とする。
【課題を解決するための手段】
【００１０】
本発明は、上記目的を達成するため、制御情報に基づき所定の機能を実現する機能実現手段と、前記機能実現手段により実現される前記所定の機能の評価を示す自機の評価情報を記憶した評価情報記憶手段と、前記所定の機能の他機の評価情報を取得する評価情報取得手段と、前記他機の評価情報と前記自機の評価情報に基づいて、前記制御情報を当該他機に送信する制御情報送信手段と、を備えることを特徴とする電子機器である。
また、本発明は、制御情報に基づき所定の機能を実現する機能実現手段と、前記機能実現手段により実現される前記所定の機能の評価を示す自機の評価情報を外部に送信する評価情報送信手段と、他機から送信された他機の制御情報を受信する制御情報受信手段と、前記制御情報受信手段が前記制御情報を受信した場合には当該受信した制御情報に基づいて前記所定の機能を実現させる制御手段と、を備えることを特徴とする電子機器である。
【発明の効果】
【００１１】
本発明によれば、同一の機能を備える複数種の電子機器において、より優れた機能を有する電子機器の当該機能をユーザに利用させることができる。
【図面の簡単な説明】
【００１２】
【図１】本発明の一実施の形態を適用したシステムを示す図である。
【図２】腕時計の回路構成を示すブロック図である。
【図３】携帯電話の回路構成を示すブロック図である。
【図４】置時計の回路構成を示すブロック図である。
【図５】腕時計、携帯電話、置時計のＲＯＭに記憶されている適正度テーブルを示す図である。
【図６】マスター端末処理の処理手順を示すフローチャートである。
【図７】スレーブ端末処理の処理手順を示すフローチャートである。
【図８】アラーム処理の処理手順を示すフローチャートである。
【発明を実施するための形態】
【００１３】
以下、本発明の一実施の形態を図に従って説明する。図１に示すように、本発明の一実施の形態を適用したシステムは、相互にＰＡＮ（Personal Area Network ）により無線接続される腕時計１と携帯電話２及び置時計３とで構成されている。ＰＡＮに用いられられる所定の近接無線方式としては、ブルートゥース（Bluetooth（登録商標））又はジグビー（ZigBee（登録商標））等が用いられる。
【００１４】
腕時計１は、時計本体１０１とこの時計本体１０１の両端部に係止されたバンド１０２，１０２とで構成されている。時計本体１０１の表面部には、表示部１０３を有する表示窓１０４が設けられており、表示部１０３はＬＣＤ（Liquid Crystal Display）からなる。また、時計本体１０１の両側面部には、各々２個ずつキー１０５、１０６、１０７、１０８が設けられている。
【００１５】
携帯電話２には、その前面に通話用のスピーカ２０１、表示部２０２、キー２０３、マイクロフォン２０４が配置されている。表示部２０２は、ＬＣＤからなりＶＧＡ（Video Graphics Array)に対応する画面解像度を備えている。キー２０３は、テンキーを含む複数のキーで構成されている。
【００１６】
置時計３には、その前面に、表示部３０１、４個のキー３０２、３０３、３０４、３０５、放音用開口部３０６が設けられている。表示部３０１はＬＣＤからなり、放音用開口部３０６は、内部に配置された後述するスピーカより発生するアラーム音を外部に放音させるための貫通穴である。
【００１７】
図２は、時計本体１０１の内部に配置されている回路の構成を示すブロック図である。この回路には、各部を制御するＣＰＵ１０９が設けられているとともに、ＲＯＭ１１０及びＲＡＭ１１１がそれぞれバス１１２を介して接続されている。ＲＯＭ１１０は、ＣＰＵ１０９が動作するためのシステムプログラム等を記憶しており、ＲＡＭ１１１は、ワーク用として使用される。
【００１８】
また、バス１１２には、ドライバ１１３、ＰＡＮ通信部１１４、スイッチ部１１５、アラームデータ記憶部１１６、及びブザー１１７が接続されている。ドライバ１１３は、前記表示部１０３を駆動するものである。ＰＡＮ通信部１１４は、アンテナ１１８を有し、前記所定の近接無線方式により図１に示した携帯電話２及び置時計３と通信する。
【００１９】
また、スイッチ部１１５は、前記キー１０５〜１０８の操作に応じた操作情報を生成するものである。アラームデータ記憶部１１６は、例えばキー１０５の操作より自機に設定されたアラーム時刻情報や、ＰＡＮ通信部１１４により受信した他機（携帯電話２、置時計３）から送信されたアラーム時刻情報等を記憶するものである。ブザー１１７は、アラーム音を発生する電圧ブザーである。
【００２０】
図３は、携帯電話２の回路構成を示すブロック図である。携帯電話２には、各部を制御する制御部２２０が設けられ、この制御部２２０には、前記通話用のスピーカ２０１、前記表示部２０２、前記キー２０３、及び前記マイクロフォン２０４が接続されている。さらに、制御部２２０には、スピーカ２０５、ＰＡＮ通信部２０６、音源２０７、アラームデータ記憶部２０８、Ｉ／Ｆ部２０９、及び曲データ記憶部２１０が接続されている。
【００２１】
スピーカ２０５は、呼出用と楽音発生用とを兼ねるものであり、着信時に着信メロディ：所謂（着メロ（登録商標））を発生、アラーム時刻にはアラームメロディを発生させるものである。ＰＡＮ通信部２０６は、アンテナ２１１を有し、前記所定の近接無線方式により図１に示した腕時計１及び置時計３と通信する。
【００２２】
音源２０７には、波形データが格納されており、この波形データを指定されて音高に応じた速度で読み出すことにより、指定された音高の楽音データが生成される。アラームデータ記憶部２０８は、複数のキー２０３における所定のキー操作より自機に設定されたアラーム時刻情報や、ＰＡＮ通信部２０６により受信した他機（腕時計１、置時計３）から送信されたアラーム時刻情報等を記憶するものである。Ｉ／Ｆ部２０９は、パソコン等の他の機器との間でデータを入出力するためのインターフェース部である。曲データ記憶部２１０には、予め曲データが格納されているとともに、外部のサーバーからダウンロードした曲データが格納される。
【００２３】
制御部２２０は、ＣＰＵ２２１、ＲＯＭ２２２、ＲＡＭ２２３等からなり、ＣＰＵがＲＡＭ２２３をワークエリアとして使用しつつＲＯＭ２２２に記憶されているプログラムに従って動作することにより、各部を制御するとともに、携帯電話２として必要な処理を実行する。
【００２４】
すなわち、制御部２２０は、アンテナ２１２を有する送受信部２１３から電話回線網に対して、他の電話端末を呼び出すための発呼信号を送信させる発呼処理、基地局から呼出信号が送信されてきたときに、スピーカ２０５から着信音を発生させる受信処理を実行する。また、着信音の発生に応じてユーザが携帯電話２を電話回線網に接続する指令を入力した際に、送受信部２１３を介して当該携帯電話２を電話回線網に接続させる接続処理を実行する。さらに、相手との通話が可能となったとき、ユーザがマイクロフォン２０４から入力した音声信号を送受信部２１３から基地局側に送信し、受信した音声信号にて通話用のスピーカ２０１から音声を発生させる処理等を実行する。また、電話回線網及びインターネットを介して、サーバーにアクセスしコンテンツをダウンロードする処理も実行する。
【００２５】
図４は、置時計３の回路の構成を示すブロック図である。この回路には、各部を制御するＣＰＵ３０７が設けられているとともに、ＲＯＭ３０８及びＲＡＭ３０９がそれぞれバス３１０を介して接続されている。ＲＯＭ３０８は、ＣＰＵ３０７が動作するためのシステムプログラム等を記憶しており、ＲＡＭ３０９は、ワーク用として使用される。
【００２６】
また、バス３１０には、ドライバ３１１、ＰＡＮ通信部３１２、スイッチ部３１３、アラームデータ記憶部３１４、及びスピーカ３１５が接続されている。ドライバ３１１は、前記ＬＣＤからなる表示部３０１を駆動するものである。ＰＡＮ通信部３１２は、アンテナ３１５を有し、前記所定の近接無線方式により図１に示した腕時計１及び携帯電話２と通信する。
【００２７】
また、スイッチ部３１３は、前記４個のキー３０２〜３０５の操作に応じた操作情報を生成するものである。アラームデータ記憶部１１６は、キー３０２〜３０５のうちの所定のキーの操作より自機に設定されたアラーム時刻情報や、ＰＡＮ通信部１１４により受信した他機（腕時計１、携帯電話２）から送信されたアラーム時刻情報等を記憶するものである。スピーカ３１５は、放音用開口部３０６の後方に配置されアラーム音を発生するものである。また、この置時計３のスピーカ３１５は、腕時計１のブザー１１７よりも大音量で放音可能であることは無論、携帯電話２が有する呼出用と楽音発生用とを兼ねるスピーカ２０５よりも大口径であり、大音量で放音可能である。
【００２８】
図５は、腕時計１、携帯電話２、置時計３に各々記憶されている適正度テーブルを示す図である。すなわち、腕時計１のＲＯＭ１１０には、プログラム等とともに図５（Ａ）に示す適正度テーブル１１が記憶され、携帯電話２のＲＯＭ３０８には、プログラム等とともに図５（Ｂ）に示す適正度テーブル２１が記憶され、置時計３のＲＯＭ２２２には、プログラム等とともに図５（Ｃ）に示す適正度テーブル３１が記憶されている。
【００２９】
これら適正度テーブル１１、２１、３１は、アラーム機能設定時の操作性である「機能設定」、アラーム音の大きさである「音の大きさ」、スヌーズ機能の有無である「スヌーズ機能」、及び「堅牢性」を評価項目として評価し、これら項目の総合的評価を「適正度」として記憶したものである。本実施の形態においては、腕時計１のアラーム機能の「適正度」として「２」が記憶され、携帯電話２のアラーム機能の「適正度」として「６」が記憶され、置時計３のアラーム機能の「適正度」として「１０」が記憶されている。
【００３０】
以上の構成に係る本実施の形態の動作について、図６以降に示すフローチャートに従って説明する。腕時計１、携帯電話２、置時計３は、各々ＲＯＭに記憶されているプログラムに基づき、図６のフローチャートに示すマスター端末処理を繰り返し実行する。まず、自機において所定のキー操作によるアラーム機能設定操作がなされたか否かを判断し（ステップＳ１０１）、アラーム機能設定操作がなされるまで待機する。
【００３１】
アラーム機能設定操作がなされたならば、設定操作により入力されたアラーム時刻情報を含むアラーム機能設定情報を、自機のアラームデータ記憶部１１６、２０８、３１４に各々記憶する（ステップＳ１０２）。つまり、例えば腕時計１にてアラーム機能設定操作がなされとすると、腕時計１のＣＰＵ１０９は、スイッチ部１１５からの操作情報に基づき、入力された時刻情報を含むアラーム機能設定情報をアラームデータ記憶部１１６に記憶する（ステップＳ１０２）。次に、ＰＡＮ通信により、他の端末を検索すべく、適正度テーブルの送信要求を送信する（ステップＳ１０３）。
【００３２】
なお、以下の説明においては、アラーム機能が設定された端末（本例では、腕時計１）をマスター端末と称し、これ以外の他の端末（本例では、携帯電話２又は置時計３）をスレーブ端末と称する。
【００３３】
次に、前記ステップＳ１０３での送信要求に応じて他の端末から送信される適正度テーブルを受信したか否かに基づき、周囲にスレーブ端末が存在するか否かを判断する（ステップＳ１０４）。適正度テーブルを受信し、周囲にスレーブ端末が存在すならば、受信した適正度テーブルに基づき、当該スレーブ端末がアラーム機能を有しているか否かを判断する（ステップＳ１０５）。
【００３４】
スレーブ端末がアラーム機能を有している場合には、受信した適正度テーブルに記憶されている適正度と、自機の適正度テーブルに記憶されている適正度とを比較することにより、当該スレーブ端末の適正度が自機の適正度よりも高いか否かを判断する（ステップＳ１０６）。スレーブ端末の適正度が自機の適正度よりも低い場合には（ステップＳ１０６→ＮＯ）、ステップＳ１０７〜Ｓ１１１の処理を行うことなく、今回の処理を終了する。また、これとは逆に、スレーブ端末の適正度が自機の適正度よりも高い場合には（ステップＳ１０６→ＹＥＳ）、適正度が自機よりも高いスレーブ端末が複数存在するか否かを判断する（ステップＳ１０７）。
【００３５】
すなわち、本例のようにマスター端末が腕時計１であり、腕時計１の周囲に携帯電話２と置時計３とが共に存在していたとする。すると、腕時計１の適正度は「２」であるのに対し、携帯電話２の適正度は「６」、置時計３の適正度は「１０」であるので、マスター端末よりも適正度が高いスレーブ端末が複数存在することとなり、ステップＳ１０７の判断はＹＥＳとなる。したがって、ステップＳ１０７からステップＳ１０８に進み、最も適正度が高い端末、この場合、置時計３をスレーブ端末として決定する。
【００３６】
また、腕時計１の周囲に携帯電話２のみが存在していたとする。すると、腕時計１の適正度は「２」であるのに対し、携帯電話２の適正度は「６」であるので、マスター端末よりも適正度が高い。しかし、スレーブ端末は携帯電話２のみであるので、ステップＳ１０７の判断はＮＯとなる。したがって、ステップＳ１０７からステップＳ１０９に進み、当該端末、この場合、携帯電話２をスレーブ端末として決定する。
【００３７】
そして、決定したスレーブ端末にアラーム機能設定情報を送信する（ステップＳ１１０）。
【００３８】
つまり、
（１）腕時計１にて、アラーム時刻を入力してアラーム機能を設定し、このとき周囲に携帯電話２と置時計３とが共に存在する場合には、腕時計１から最も適正度が高い置時計３にアラーム時刻等のアラーム機能設定情報が送信されることとなる。また、腕時計１にて、アラーム時刻を入力してアラーム機能を設定し、このとき周囲に携帯電話２のみが存在する場合には、腕時計１から、より適正度が高い携帯電話２にアラーム時刻等のアラーム機能設定情報が送信されることとなる。無論、腕時計１にて、アラーム時刻を入力してアラーム機能を設定し、このとき周囲に携帯電話２も置時計３も存在しない場合には、ステップＳ１０４の判断がＮＯとなることから、アラーム時刻等のアラーム機能設定情報が送信は実行されない。
【００３９】
（２）携帯電話２にて、アラーム時刻を入力してアラーム機能を設定し、このとき周囲に腕時計１と置時計３とが共に存在する場合には、携帯電話２から、より適正度が高い置時計３にアラーム時刻等のアラーム機能設定情報が送信されることとなる。また、携帯電話２にて、アラーム時刻を入力してアラーム機能を設定し、このとき周囲に置時計３のみが存在する場合にも、携帯電話２からより適正度が高い置時計３にアラーム時刻等のアラーム機能設定情報が送信されることとなる。しかし、携帯電話２にて、アラーム時刻を入力してアラーム機能を設定し、このとき周囲に腕時計１のみが存在する場合には、腕時計１の適正度は携帯電話２よりも低いことから、ステップＳ１０６の判断がＮＯとなる。よって、アラーム時刻等のアラーム機能設定情報の送信はなされない。
【００４０】
（３）置時計３にて、アラーム時刻を入力してアラーム機能を設定し、このとき周囲に腕時計１と携帯電話２とが共に存在する場合であっても、腕時計１と携帯電話２は共に、より適正度が低いことから、ステップＳ１０６の判断がＮＯとなる。よって、アラーム時刻等のアラーム機能設定情報の送信はなされない。
【００４１】
このようにして、マスター端末からスレーブ端末へのアラーム機能設定情報の送信が実行されたならば、ステップＳ１０２で自機のアラームデータ記憶部１１６、２０８、３１４に記憶させたアラーム機能設定情報を消去する（ステップＳ１０２）。したがって、アラーム機能が設定されたマスター端末よりも、適正度が高いスレーブ端末が検索された場合には、マスター端末のアラーム機能が解除され、無用なアラームを発生が回避することができる。
【００４２】
したがって、前述のようにマスター端末を腕時計１とした場合には、無用なアラームの発生による腕時計１の電池消耗を防止することができる。
【００４３】
また、周囲により適正度が高い機器が存在しない場合（ステップＳ１０４→ＮＯ）には、自機のアラームデータ記憶部１１６、２０８、３１４にアラーム機能設定情報が残存することから、図８のフローチャートに基づいて後述するように、設定時刻には自機からアラーム音が発生することとなる。
【００４４】
また、腕時計１、携帯電話２、置時計３は、各々ＲＯＭに記憶されているプログラムに基づき、図７のフローチャートに示すスレーブ端末処理を繰り返し実行する。まず、前記ステップＳ１０３で、前述のようにマスター端末から送信される適正度テーブル送信要求を受信したか否かを判断する（ステップＳ２０１）。適正度テーブル送信要求を受信した場合には、自機の適正度テーブル１１、２１、３１を送信する。
【００４５】
また、前記ステップＳ１１０又は後述するステップＳ２１２で、他機から送信される自機へのアラーム機能設定情報を受信したか否かを判断する（ステップＳ２０３）。アラーム機能設定情報を受信しない場合には、ステップＳ２０１に戻る。
【００４６】
他機から送信された自機へのアラーム機能設定情報を受信したならば、受信したアラーム時刻情報を含むアラーム機能設定情報を、自機のアラームデータ記憶部１１６、２０８、３１４に記憶する（ステップＳ２０４）。
【００４７】
つまり、例えば腕時計１からアラーム機能設定情報が携帯電話２に送信され、携帯電話２がこれを受信したとすると、携帯電話２の制御部２０４は、受信したアラーム機能設定情報をアラームデータ記憶部２０８に記憶する。また、例えば腕時計１からアラーム機能設定情報が置時計３に送信され、置時計３がこれを受信したとすると、置時計３のＣＰＵ３０７は、受信したアラーム機能設定情報をアラームデータ記憶部３１４に記憶する。このアラーム機能設定情報を記憶した端末が現時点において、アラーム機能を発生させるスレーブ端末となる。
【００４８】
しかし、アラーム機能を発生させるまでは、より適正度の高い端末が発見される可能性がある。よって、より適正度の高い新たなスレーブ端末を発見すべく、ステップＳ２０５以降の処理を実行する。
【００４９】
すなわち、ＰＡＮ通信により、新たなスレーブ端末を検索すべく、適正度テーブルの送信要求を送信する（ステップＳ２０５）。次に、このステップＳ２０５での送信要求に応じて他の端末から送信される適正度テーブルを受信したか否かに基づき、周囲にスレーブ端末が存在するか否かを判断する（ステップＳ２０６）。適正度テーブルを受信し、周囲にスレーブ端末が存在すならば、受信した適正度テーブルに基づき、新たなスレーブ端末がアラーム機能を有しているか否かを判断する（ステップＳ２０７）。
【００５０】
新たなスレーブ端末がアラーム機能を有している場合には、受信した適正度テーブルに記憶されている適正度と、自機の適正度テーブルに記憶されている適正度とを比較することにより、新たなスレーブ端末の適正度が自機の適正度よりも高いか否かを判断する（ステップＳ２０８）。新たなスレーブ端末の適正度が自機の適正度よりも低い場合には（ステップＳ２０８→ＮＯ）、ステップＳ２０９〜Ｓ２１３の処理を行うことなく、今回の処理を終了する。
【００５１】
したがって、この場合には、受信したアラーム時刻情報を含むアラーム機能設定情報を、自機のアラームデータ記憶部１１６、２０８、３１４に記憶した端末が、アラーム機能を発生させるスレーブ端末として維持されることとなる。
【００５２】
しかし、これとは逆に、新たなスレーブ端末の適正度が自機の適正度よりも高い場合には（ステップＳ２０８→ＹＥＳ）、適正度が高い新スレーブ端末が複数存在するか否かを判断する（ステップＳ２０９）。適正度が自機よりも高いスレーブ端末が複数存在する場合には、最も適正度が高い端末を新たなスレーブ端末として決定する（ステップＳ２１０）。また、適正度が自機よりも高いスレーブ端末が単一存在する場合には、当該端末を新たなスレーブ端末として決定する（ステップＳ２１１）。
【００５３】
したがって、例えば腕時計１にてアラーム機能が設定され、より適正度の高いスレーブ端末として携帯電話２にアラーム機能設定情報が記憶された後、新たなスレーブ端末として携帯電話２よりも適正度の高い置時計３が発見されたとすると、置時計３が新たなスレーブ端末として決定されることとなる。
【００５４】
よって、新たなスレーブ端末として決定された端末に、自機のアラームデータ記憶部１１６、２０８に記憶されているアラーム機能設定情報を送信する（ステップＳ２１２）。これにより、新たなスレーブ端末において、前述したステップＳ２０３でアラーム機能設定情報の受信が確認されて、アラーム機能設定情報が新たなスレーブ端末のアラームデータ記憶部３１４に記憶される。
【００５５】
このようにして、新たなスレーブ端末へのアラーム機能設定情報の送信が実行されたならば、ステップＳ２０４で自機のアラームデータ記憶部１１６、２０８、３１４に記憶させたアラーム機能設定情報を消去する（ステップＳ２１３）。したがって、アラーム機能が設定されたスレーブ端末よりも、適正度が高い新たなスレーブ端末が検索された場合には、従前のスレーブ端末のアラーム機能が解除され、無用なアラームを発生が回避することができる。
【００５６】
図８は、アラームデータ記憶部１１６、２０８、３１４にアラーム機能設定情報が記憶されていることを条件として実行する、つまりアラームデータ記憶部１１６、２０８、３１４のいずれかにアラーム機能設定情報が記憶されている端末のみが実行する、アラーム処理の処理手順を示すフローチャートである。
【００５７】
すなわち、先ず自端末がマスター端末（ユーザの操作によりアラーム機能設定情報が設定された端末）であるか否かを判断する。自端末＝マスター端末である場合には、ステップＳ３０２〜Ｓ３０３の処理を実行することなく、ステップＳ３０４に進みアラーム機能を実行する。つまり、アラームデータ記憶部１１６、２０８、３１４に記憶されているアラーム機能設定情報が示す時刻となった時点で、アラーム機能を発生させる。
【００５８】
したがって、
（Ａ）ユーザが腕時計１にてアラーム設定操作を行ったが、周囲に携帯電話２と置時計３のいずれも存在しなかった場合には、腕時計１にてアラーム機能が発生する。
（Ｂ）ユーザが携帯電話２にてアラーム設定操作を行ったが、周囲に腕時計１のみしか存在しなかった場合には、携帯電話２にてアラーム機能が発生する。
（Ｃ）ユーザが置時計３にてアラーム設定操作を行った場合には、周囲に腕時計１と携帯電話２とが存在している場合であっても、置時計３にてアラーム機能が発生する。
【００５９】
また、自端末≠マスター端末である場合、つまり他の端末からアラーム機能設定情報を受信して記憶しているスレーブ端末である場合には、ＰＡＮ通信による他の端末からの応答の有無により、周囲に存在する端末を検索する（ステップＳ３０２）。そして、検索の結果に基づき、当該スレーブ端末の通信範囲内にマスター端末があるか否かを判断する（ステップＳ３０３）。
【００６０】
当該スレーブ端末の通信範囲内、つまり近くにマスター端末がない場合には、ステップＳ３０５でアラーム機能を実行させることなく、記憶されているアラーム機能設定情報を消去する。ここで、近くにマスター端末がない場合とは、例えば、ユーザが腕時計１にてアラーム機能の設定操作を行い（腕時計１がマスター端末）、その後、置時計３にアラーム機能設定情報が送信されて、置時計３がスレーブ端末となっているが、腕時計１を所持しているユーザが置時計３の傍らか離れている場合である。
【００６１】
このような場合、置時計３の傍らにユーザが居ないのであるから、置時計３にてアラーム機能を発生させても無意味である。よって、この場合には、置時計３によるアラーム機能の発生を回避し、これにより無用なアラーム音の発生を防止することができる。
【００６２】
また、近くにマスター端末がある場合には、アラーム機能を実行させる（ステップＳ３０４）。つまり、前述のように、アラームデータ記憶部１１６、２０８、３１４に記憶されているアラーム機能設定情報が示す時刻となった時点で、アラーム機能を発生させる。
【００６３】
したがって、近くにマスター端末がある場合には、以下の態様でスレーブ端末がアラーム機能を発生する。
（ａ）ユーザが腕時計１にて、アラーム機能を設定し、その後、携帯電話２によりアラーム機能設定情報が受信され、記憶されたとすると、携帯電話２にてアラーム機能が発生する。携帯電話２にあっては、腕時計１のブザー１１７よりも大音量のスピーカ２０５によりアラーム音を発生させることから、より優れた機能を有する携帯電話２のスピーカ２０５によるアラーム機能をユーザに利用させることができる。
しかも、小型の電池を実装する腕時計１のアラーム機能の実行に伴う電池消耗を防止することもできる。
（ｂ）ユーザが腕時計１にて、アラーム機能を設定し、その後、置時計３によりアラーム機能設定情報が受信され、記憶されたとすると、置時計３にてアラーム機能が発生する。置時計３にあっては、腕時計１のブザー１１７よりも遙かに大音量のスピーカ３１５によりアラーム音を発生させることから、より優れた機能を有する置時計３のスピーカ３１５によるアラーム機能をユーザに利用させることができる。
したがって、例えば旅先のホテルに置時計３が設置してある場合において、使い慣れているユーザの腕時計１にてアラーム設定を行うことにより、ホテル内に設置してある置時計３を操作することなく、当該置時計３による優れたアラーム機能をユーザに利用させることができる。また、置時計３にあっては、スヌーズ機能等の特有のアラーム機能も有しいることから、置時計３を操作することなく、当該置時計３に特有のアラーム機能をユーザに利用させることができる。
【００６４】
（ｃ）ユーザが携帯電話２にて、アラーム機能を設定し、その後、置時計３によりアラーム機能設定情報が受信され、記憶されたとすると、置時計３にてアラーム機能が発生する。置時計３にあっては、携帯電話２のスピーカ２０５よりも大口径ののスピーカ３１５によりアラーム音を発生させることから、より優れた機能を有する置時計３のスピーカ３１５によるアラーム機能をユーザに利用させることができる。
したがって、前述と同様に、例えば旅先のホテルに置時計３が設置してある場合において、使い慣れているユーザの携帯電話２にてアラーム設定を行うことにより、ホテル内に設置してある不慣れな置時計３を操作することなく、当該置時計３による優れたアラーム機能をユーザに利用させることができる。ユーザにとって、自己の携帯電話２は操作性に優れることから、操作性において劣る置時計３を操作することなく、当該置時計３に特有のアラーム機能をユーザに利用させることができる。
【００６５】
このようにして、アラーム機能を実行したならば、アラームデータ記憶部１１６、２０８、３１４に記憶されているアラーム機能設定情報を消去する（ステップＳ３０５）。したがって、受信によりアラーム機能設定情報を記憶したスレーブ端末のアラーム機能を、ユーザが手動でキャンセルする必要もなく、不意にアラーム音が発生する不都合を未然に防止することができる。
【００６６】
なお、特定の端末から他の特定の端末のみへの送信、例えば腕時計１から携帯電話２のみへの送信、あるいは携帯電話２から置時計３のみへの送信等に際しては、周波数により特定の端末へのみ送信されるようにしてもよいし、送信する情報に識別符号を付して、特定の端末へ送信であることを識別させるようにしてもよい。
【産業上の利用可能性】
【００６７】
なお、実施の形態においては、腕時計１、携帯電話２、置時計３を同一の機能を備える複数種の電子機器とし、同一の機能としてアラーム機能を例にして説明した。しかし、本発明は、これに限ることなく下記の用途にも適用できる。
【００６８】
（１）携帯電話で地上デジタル放送の視聴予約をしている場合、予約した時刻をテレビに送信してテレビで視聴を実行する。これにより、より優れた機能を有するテレビの大型画面、大型スピーカでの視聴機能をユーザに利用させることができる。
【００６９】
（２）携帯電話でイヤフォンを使用せずにスピーカで音楽再生を行う場合、傍らにオーディオセットがあり、オーディオセットみに同一の音楽データが記憶されている場合には、オーディオセットで音楽再生を実行する。これにより、より優れた音楽再生機能を有するオーディオセットの音楽機能をユーザに利用させることができる。
【００７０】
つまり、本発明は、同一の機能を有する複数種の電子機器が存在する電子機器であれば、その機能の如何に拘わらず、当該電子機器に適用することができる。
【符号の説明】
【００７１】
１    腕時計
2    携帯電話
３    置時計
１１    適正度テーブル
２１    適正度テーブル
３１    適正度テーブル
１０１    時計本体
１０５    キー
１０９    ＣＰＵ
１１０    ＲＯＭ
１１１    ＲＡＭ
１１３    ドライバ
１１４    ＰＡＮ通信部
１１５    スイッチ部
１１６    アラームデータ記憶部
１１７    ブザー
２０１    スピーカ
２０２    表示部
２０３    キー
２０４    制御部
２０５    スピーカ
２０６    ＰＡＮ通信部
２０７    音源
２０８    アラームデータ記憶部
２２０    制御部
２２１    ＣＰＵ
２２２    ＲＯＭ
２２３    ＲＡＭ
３０１    表示部
３０２〜３０５    キー
３０６    放音用開口部
３０７    ＣＰＵ
３０８    ＲＯＭ
３０９    ＲＡＭ
３１１    ドライバ
３１２    ＰＡＮ通信部
３１３    スイッチ部
３１４    アラームデータ記憶部
３１５    スピーカ
【図１】
0005618111.tif 000002
【図２】
0005618111.tif 000003
【図３】
0005618111.tif 000004
【図４】
0005618111.tif 000005
【図５】
0005618111.tif 000006
【図６】
0005618111.tif 000007
【図７】
0005618111.tif 000008
【図８】
0005618111.tif 000009